(57)【特許請求の範囲】
【請求項１】
基礎岩盤上に造成されたダム堤体の厚さ方向中央部に止水ゾーンが設けられており、
この止水ゾーンの厚さ方向中央部に、この止水ゾーンの高さ方向および幅方向に沿うようにして止水鉄板壁が立設されており、
前記止水鉄板壁は、高さ方向および幅方向に隣り合う複数の平板鉄板と、これら複数の平板鉄板間に介在して設けられる波状鉄板とを接合することによって形成されており、
この波状鉄板は、長さ方向に直交する方向に沿って、かつ厚さ方向の一方および他方に向かって交互に折り曲げられてなることを特徴とするフィルダムの止水構造。
【請求項２】
前記波状鉄板は、十字状に形成されるとともに、前記複数の平板鉄板の角部に接合される十字部と、この十字部の端部に連続して設けられるとともに、前記複数の平板鉄板の端縁に接合される直線部とを備えており、
前記十字部の中央交差部には、この中央交差部の一面側に、厚さ方向の一方側から他方側に向かって正四角錐状に窪むように形成される複数の第１窪みが並列配置されるとともに、この中央交差部の他面側に、厚さ方向の他方側から一方側に向かって正四角錐状に窪むように形成される複数の第２窪みが並列配置されており、
これら第１窪みおよび第２窪みは、前記中央交差部の厚さ方向の一面側および他面側から噛み合うようにして互いに隣接していることを特徴とする請求項１に記載のフィルダムの止水構造。
【請求項３】
前記止水鉄板壁は、前記基礎岩盤中に埋設された基礎部から上方に突出するようにして立設されていることを特徴とする請求項１または２に記載のフィルダムの止水構造。
【請求項４】
前記止水ゾーンには、この止水ゾーン内に止水材を注入するための注入パイプが、前記止水鉄板壁の表面に沿って埋設されていることを特徴とする請求項１〜３のいずれか一項に記載のフィルダムの止水構造。
【請求項５】
請求項１〜４のいずれか一項に記載のフィルダムの止水構造を採用するとともに、ダム堤体の厚さ方向中央部に設けられる止水ゾーンと、この止水ゾーンの上流側および下流側に設けられるロックゾーンとを、一定の層厚ごとに盛り立ててダム堤体を造成するフィルダムの造成方法であって、
これら止水ゾーンおよびロックゾーンの第１層を盛り立てるに際し、
予め、前記一定の層厚に盛り立てられる止水ゾーンの幅方向に沿うとともに、この一定層厚の止水ゾーンに応じた高さに形成された前記止水鉄板壁を、この止水ゾーンの厚さ方向中央部に位置するように立設しておき、
その後、複数の上層部を、前記第１層の上方に一定の層厚ごとに盛り立てる度に、これに先行して、前記止水鉄板壁を上方に立ち上げる工程を繰り返して、前記ダム堤体を造成することを特徴とするフィルダムの造成方法。
【発明の詳細な説明】
【技術分野】
【０００１】
本発明は、土質材料や礫、岩塊等を盛り立てて造成されるフィルダムの止水構造および造成方法に関する。
【背景技術】
【０００２】
ダムの一形式として、土質材料や礫、岩塊等を盛り立ててダム堤体を構成するフィルダムが知られている（例えば、特許文献１参照）。
基礎岩盤上に盛り立てられたダム堤体は、透水性の異なる各種材料によってゾーン状に構成される。ダム堤体のほぼ中央には止水ゾーンが設けられ、その上下流にそれぞれフィルターゾーンが設けられ、さらに、このフィルターゾーンの上下流にそれぞれロックゾーンが設けられている。この場合、湛水池からの漏水等を防ぐ止水機能を受け持つのは止水ゾーンであり、ダム堤体自体の強度を負担するのは主にロックゾーンとなっている。
【０００３】
このようなフィルダムにおいては、各ゾーンを構成する各種材料の粒度や材質を厳密に選別して調整することによって各ゾーンを効果的に機能させることができ、これによって、ダムとしての湛水機能を実現できるようになっている。特に、止水ゾーンを構成する材料には、ダムの止水機能を維持するために高品質のものが用いられている。
【特許文献１】特開平７−１８０１２８号公報
【発明の開示】
【発明が解決しようとする課題】
【０００４】
ところで、近年、環境に配慮したダム造りが求められている。そこで、例えば開発エリアを極力小さくして山林の保護範囲を広く確保することなどが行われているが、開発エリアが小さくなれば採掘される各種材料の量も減るため、造成されるダムの周囲で、高品質な止水ゾーンの材料を確保することが難しい場合がある。
しかしながら、このように周囲の環境に配慮しながら高品質材料を確保するためには、材料を遠方から取り寄せたり、新たな開発事業を行ったり、盛り立てる前の材料を保管する場所を確保しなければならず、コストが増加してしまうという問題があった。
【０００５】
本発明の課題は、高品質材料を用いずに止水性を向上できるとともに、コストを低減させることが可能なフィルダムの止水構造および造成方法を提供することを目的とする。
【課題を解決するための手段】
【０００６】
以上の課題を解決するため、請求項１に記載の発明は、フィルダムの止水構造であって、基礎岩盤上に造成されたダム堤体の厚さ方向中央部に止水ゾーンが設けられており、
この止水ゾーンの厚さ方向中央部に、この止水ゾーンの高さ方向および幅方向に沿うようにして止水鉄板壁が立設されており、
前記止水鉄板壁は、高さ方向および幅方向に隣り合う複数の平板鉄板と、これら複数の平板鉄板間に介在して設けられる波状鉄板とを接合することによって形成されており、
この波状鉄板は、長さ方向に直交する方向に沿って、かつ厚さ方向の一方および他方に向かって交互に折り曲げられてなることを特徴とする。
【０００８】
請求項２に記載の発明は、請求項１に記載のフィルダムの止水構造において、前記波状鉄板は、十字状に形成されるとともに、前記複数の平板鉄板の角部に接合される十字部と、この十字部の端部に連続して設けられるとともに、前記複数の平板鉄板の端縁に接合される直線部とを備えており、
前記十字部の中央交差部には、この中央交差部の一面側に、厚さ方向の一方側から他方側に向かって正四角錐状に窪むように形成される複数の第１窪みが並列配置されるとともに、この中央交差部の他面側に、厚さ方向の他方側から一方側に向かって正四角錐状に窪むように形成される複数の第２窪みが並列配置されており、
これら第１窪みおよび第２窪みは、前記中央交差部の厚さ方向の一面側および他面側から噛み合うようにして互いに隣接していることを特徴とする。
【０００９】
請求項３に記載の発明は、請求項１または２に記載のフィルダムの止水構造において、前記止水鉄板壁は、前記基礎岩盤中に埋設された基礎部から上方に突出するようにして立設されていることを特徴とする。
【００１０】
請求項４に記載の発明は、請求項１〜３のいずれか一項に記載のフィルダムの止水構造において、前記止水ゾーンには、この止水ゾーン内に止水材を注入するための注入パイプが、前記止水鉄板壁の表面に沿って埋設されていることを特徴とする。
【００１１】
請求項５に記載の発明は、請求項１〜４のいずれか一項に記載のフィルダムの止水構造を採用するとともに、ダム堤体の厚さ方向中央部に設けられる止水ゾーンと、この止水ゾーンの上流側および下流側に設けられるロックゾーンとを、一定の層厚ごとに盛り立ててダム堤体を造成するフィルダムの造成方法であって、
これら止水ゾーンおよびロックゾーンの第１層を盛り立てるに際し、
予め、前記一定の層厚に盛り立てられる止水ゾーンの幅方向に沿うとともに、この一定層厚の止水ゾーンに応じた高さに形成された前記止水鉄板壁を、この止水ゾーンの厚さ方向中央部に位置するように立設しておき、
その後、複数の上層部を、前記第１層の上方に一定の層厚ごとに盛り立てる度に、これに先行して、前記止水鉄板壁を上方に立ち上げる工程を繰り返して、前記ダム堤体を造成することを特徴とする。
【発明の効果】
【００１２】
本発明によれば、基礎岩盤上に造成されたダム堤体の厚さ方向中央部に止水ゾーンが設けられており、この止水ゾーンの厚さ方向中央部に、この止水ゾーンの高さ方向および幅方向に沿うようにして止水鉄板壁が立設されているので、この止水鉄板壁によって、止水ゾーンの止水機能を受け持つことができることとなる。また、この止水鉄板壁は、鉄板であることから、上流側から下流側への漏水を確実に防ぐことができるので、止水性を向上させることができる。
さらに、止水鉄板壁で止水ゾーンの止水機能を受け持つことによって、止水ゾーンを構築する材料が高品質である必要がなくなるので、従来とは異なり、材料を遠方から取り寄せたり、新たな開発事業を行ったりする必要がなくなる。また、止水ゾーンとロックゾーンとの間にフィルターゾーンを設けたり、盛り立て前の材料を保管する場所を確保する必要もなくなる。これによって、高品質材料の確保に係るコストを確実かつ格段に低減することが可能となる。
【発明を実施するための最良の形態】
【００１３】
以下、図面を参照して本発明の実施の形態について説明する。
【００１４】
図１は、基礎岩盤１上に造成されたダム堤体２を示す側断面図であり、このダム堤体２の厚さ方向中央部に止水ゾーン３が設けられており、この止水ゾーン３の厚さ方向中央部に、この止水ゾーン３の高さ方向および幅方向に沿うようにして止水鉄板壁５が立設されている。
また、前記止水ゾーン３の上流側および下流側にはロックゾーン４が設けられており、さらに上流側が湛水池１１となっている。
【００１５】
前記止水ゾーン３は、土質材料や砕石等の保護材を材料としてなり、材料を盛り立てた後に十分に転圧され、ある程度の止水機能を有している。また、この止水ゾーン３の下端部には、前記基礎岩盤１中に埋設されるとともに、前記止水鉄板壁５の下端部が埋め込まれる基礎部１ａが設けられており、この基礎部１ａによって、前記止水ゾーン３の下端部と前記基礎岩盤１との間の止水性を向上させている。なお、基礎部１ａはコンクリート等によって形成されている。
また、前記ロックゾーン４は、岩塊等を材料としてなり、材料を盛り立てた後に十分に転圧され、前記ダム堤体２の強度を負担している。
【００１６】
本実施の形態の止水鉄板壁５は、上流側に１枚設けられるとともに、下流側にも１枚設けられており、二重に止水を行っている状態となっている。
なお、本実施の形態においては２枚の止水鉄板壁５が設けられるとしたが、これに限るものではなく、１枚でもよいし、３枚でもよい。すなわち、ダムの規模に応じて変更することが望ましい。
また、この止水鉄板壁５は、水や空気等の影響による腐食代を考慮した厚さとするとともに、その他、水圧や土質、水質等を考慮した材質のものを用いることが好ましい。
【００１７】
また、この止水鉄板壁５は、前記基礎部１ａから上方に突出するようにして立設されている。これによって、前記ダム堤体２が水圧等による水平方向の変位力を受けても、強度や安定性に優れるので、前記止水ゾーン３の崩壊や、延いてはダム堤体２の崩壊を確実に防ぐことができる。
【００１８】
そして、このような止水鉄板壁５は、図２および図３（ａ），（ｂ）に示すように、高さ方向および幅方向に隣り合う複数の平板鉄板６と、これら複数の平板鉄板６間に介在して設けられる波状鉄板７とを接合することによって形成されている。
【００１９】
なお、前記平板鉄板６は、幅方向に長い矩形状に形成されるとともに、前記波状鉄板７に比して大判に形成されているので、前記止水鉄板壁５による止水機能の大部分を担うこととなる。
また、前記波状鉄板８は、長さ方向に直交する方向に沿って、かつ厚さ方向の一方および他方に向かって交互に折り曲げられてなる。すなわち、断面視ジグザグ波状に形成されているので、長さ方向に直交する方向に弾力性を有していることとなる。
これによって、前記ダム堤体２が水圧等による水平方向の変位力を受けても、この波状鉄板８によって変形力を吸収することができるので、前記平板鉄板６の亀裂が生じたり、前記平板鉄板６と波状鉄板７との接合部分に亀裂が生じたりすることを確実に防ぐことが可能となる。
【００２０】
そして、前記波状鉄板７は、図２および図３（ａ），（ｂ）に示すように、十字状に形成されるとともに、前記複数の平板鉄板６の角部に接合される十字部８と、この十字部８の端部に連続して設けられるとともに、前記複数の平板鉄板６の端縁に接合される直線部９とを備えている。
【００２１】
また、図３（ａ）に示すように、前記十字部８の中央交差部８ａには、この中央交差部８ａの一面側に、厚さ方向の一方側から他方側に向かって正四角錐状に窪むように形成される複数の第１窪み８ｂが並列配置されるとともに、この中央交差部８ａの他面側に、厚さ方向の他方側から一方側に向かって正四角錐状に窪むように形成される複数の第２窪み８ｃが並列配置されており、これら第１窪み８ｂおよび第２窪み８ｃは、前記中央交差部８ａの厚さ方向の一面側および他面側から噛み合うようにして互いに隣接している。
【００２２】
すなわち、この十字部８の中央交差部８ａは、前記直線部９から連続する波型形状を十字方向に受け継いだ状態となっており、この波型形状の長さ方向に連続する波型形状の頂点どうしが、前記中央交差部８ａで交差した形態となっている。
【００２３】
本実施の形態の十字部８においては、図３（ａ）に示すように、上下方向に延在する長さ方向に連続する頂点を、左から符号でＴ１、Ｔ２、Ｔ３、Ｔ４、Ｔ５、Ｔ６、Ｔ７で示すとともに、左右方向に延在する長さ方向に連続する頂点を上から符号でｔ１、ｔ２、ｔ３、ｔ４、ｔ５、ｔ６、ｔ７で示すものとする。
【００２４】
そして、例えば、頂点Ｔ２と頂点ｔ２との交点は、厚さ方向他方側に向かって窪んでおり、この頂点Ｔ２と頂点ｔ２との交点の周囲に配置された４つの交点（頂点Ｔ１と頂点ｔ１との交点、頂点Ｔ１と頂点ｔ３との交点、頂点Ｔ３と頂点ｔ１との交点、頂点Ｔ３と頂点ｔ３との交点）は、厚さ方向の一方側に向かって突出していることとなる。したがって、前記頂点Ｔ２と頂点ｔ２との交点が四角錐状の第１窪み８ｂの頂点となっており、周囲４つの交点をつないだ部分が四角錐の底面に該当する部分となる。
本実施の形態においては、各頂点どうしの交点の関係から、前記第１窪み８ｂが、前記中央交差部８ａに９つ並列配置されていることとなる。
【００２５】
一方、前記第２窪み８ｃは、前記第１窪み８ｂとは反対の面に設けられるものである。
すなわち、例えば、頂点Ｔ３と頂点ｔ３との交点は、厚さ方向一方側に向かって窪んでおり、この頂点Ｔ３と頂点ｔ３との交点の周囲に配置された４つの交点（頂点Ｔ２と頂点ｔ２との交点、頂点Ｔ２と頂点ｔ４との交点、頂点Ｔ４と頂点ｔ２との交点、頂点Ｔ４と頂点ｔ４との交点）は、厚さ方向の他方側に向かって突出していることとなる。したがって、前記頂点Ｔ３と頂点ｔ３との交点が四角錐状の第２窪み８ｃの頂点となっており、周囲４つの交点をつないだ部分が四角錐の底面に該当する部分となる。
本実施の形態においては、各頂点どうしの交点の関係から、前記第２窪み８ｃが、前記中央交差部８ａに４つ並列配置されていることとなる。
したがって、これら第１窪み８ｂおよび第２窪み８ｃは、前記中央交差部８ａの厚さ方向の一面側および他面側から噛み合うようにして互いに隣接している。
【００２６】
なお、本実施の形態においては、以上のような第１窪み８ｂおよび第２窪み８ｃを形成する際は、プレス加工によって形成するものとするが、これに限られるものではなく、例えば鋳造等によって形成してもよく、本発明の趣旨を逸脱しない範囲で適宜変更可能である。
【００２７】
以上のような波状鉄板７によれば、前記十字部８は、前記ダム堤体２が水圧等による水平方向の変位力を受けても、この中央交差部８ａによって変形力を効果的に吸収することができる。すなわち、前記十字部８には、この十字部８の４つの内角部８ｄに、少なくとも４枚の平板鉄板６の角部が接合されている。したがって、前記十字部８は、前記水平方向の変位力の影響を受けやすいものの、前記中央交差部８ａが、前記第１窪み８ｂおよび第２窪み８ｃを有し、前記直線部９から連続する波型形状を受け継いだ状態で形成されているので、前記水平方向の変位力を効果的に吸収することができることとなる。これによって、この十字部８と前記平板鉄板６との接合部分や、この十字部８と前記直線部９との接合部分に亀裂が生じることを確実に防ぐことが可能となる。
一方、前記波状鉄板７の直線部９には、多くても、この直線部９の幅方向一方の側縁部および他方の側縁部に、前記平板鉄板６の端縁が接合されるだけなので、前記ダム堤体２が受ける水圧等による水平方向の変位力を受けても、前記十字部８に比して影響が小さく済む。したがって、この直線部９と前記平板鉄板６との接合部分や、この直線部９と前記十字部８との接合部分に亀裂が生じることを確実に防ぐことが可能となる。
【００２８】
なお、前記止水鉄板壁５による止水効果を長期的に持続させるため、図４に示すように、前記止水ゾーン３には、この止水ゾーン３内に止水材１０ｂを注入するための注入パイプ１０が、前記止水鉄板壁５の表面に沿って埋設されている。
【００２９】
すなわち、例えば前記平板鉄板６や、この平板鉄板６と波状鉄板７との接合部分に若干の亀裂が生じるなどして、少量の漏水などが確認された際に、前記ダム堤体２の深奥部に設けられる止水鉄板壁５を外部から補修を行うことは困難である。
そこで、このように止水材１０ｂを注入するための注入パイプ１０が、前記止水鉄板壁５の表面に沿って止水ゾーン３に埋設されている。
【００３０】
この注入パイプ１０は、例えば前記複数の平板鉄板６どうしが隣り合う方向に沿って配管されることが好ましい。すなわち、前記複数の平板鉄板６どうしは、図２に示すように、高さ方向に沿って隣り合っているので、高さ方向に隣り合う平板鉄板６どうしを１列とし、この１列ごとに前記注入パイプ１０を上下方向に沿って配管する。つまり、１列に１本の注入パイプ１０を配管している。
【００３１】
なお、本実施の形態においては、上述のように高さ方向に隣り合う平板鉄板６どうしを１列としたが、これに限られるものではなく、幅方向に隣り合う平板鉄板６どうしを１列としてもよい。
また、前記複数の平板鉄板６に限られず、前記波状鉄板７に沿って前記注入パイプ１０を配管するようにしてもよい。
【００３２】
前記注入パイプ１０は、パイプ状に形成されるとともに、パイプ内と外部とを連通する注入孔１０ａを複数有している。そして、この注入パイプ１０の基端部は、図示はしないが、ダム堤体２の表面に設けられており、この基端部から止水材１０ｂをパイプ内に流し込むことができる。
また、図４中で示す矢印は、この注入パイプ１０の内部から、前記注入孔１０ａを通じて外部へと噴出する止水材１０ｂの流れを示している。
【００３３】
前記止水材１０ｂは、前記注入パイプ１０の周囲を固結して安定化させるものであり、例えばセメントと水（場合によっては添加剤等）を混合させてなるセメントミルクであるが、これに限るものではなく、ベントナイトなど、止水ゾーン３の地質や漏水の量等を考慮して適宜変更することが好ましい。
【００３４】
そして、この注入パイプ１０を用いる際は、パイプ内に前記止水材１０ｂを流し込む際に圧力を加えることで、前記止水材１０ｂの噴出力を高めることができ、より広範囲に止水材１０ｂを注入することができる。
【００３５】
なお、このような注入パイプ１０の注入孔１０ａに、例えば外部からの制御が可能な弁を設けて、所定の箇所のみ止水材１０ｂを注入できるようにしてもよい。
【００３６】
このように、前記止水ゾーン３に、この止水ゾーン３内に止水材１０ｂを注入するための注入パイプ１０を、前記止水鉄板壁５の表面に沿って埋設することによって、例えば前記平板鉄板６や、この平板鉄板６と波状鉄板７との接合部分に若干の亀裂が生じた場合に、この亀裂を、前記止水材１０ｂによって閉塞することができるので、前記止水鉄板壁５による止水効果を長期的に持続させることができる。
【００３７】
次に、以上のようなダム堤体２の造成方法について、図面を参照して説明する。
【００３８】
前記ダム堤体２を構成する各種材料を確保した後、図５に示すように、造成されるダム堤体２の厚さ方向中央部の位置に、前記止水ゾーン３の下端部に設けられる前記基礎部１ａを埋設するための埋設穴１ｂを形成する。
【００３９】
そして、この埋設穴１ｂに、前記止水鉄板壁５の下端部が埋め込まれた基礎部１ａを埋設する。なお、この基礎部１ａに埋め込まれる止水鉄板壁５は、複数の平板鉄板６と複数の波状鉄板７とを所定の数量だけ接合することによって、前記止水ゾーン３の幅方向に沿うとともに、所定の高さに設定された止水鉄板壁５ａとすることができる。
なお、この止水鉄板壁５ａが、前記止水ゾーン３の厚さ方向中央部に位置するように、前記平板鉄板６および波状鉄板７を、前記基礎部１ａに埋め込むようにする。
【００４０】
続いて、前記止水ゾーン３およびロックゾーン４を、一定の層厚、すなわち前記所定の高さに設定された止水鉄板壁５ａの高さを超えないような層厚となるように、各種材料を用いて第１層２ａを盛り立てて、ローラー等によって転圧する。
つまり、前記所定の高さに設定された止水鉄板壁５ａは、一定の層厚に盛り立てられる止水ゾーン３の幅方向に沿うとともに、この一定の層厚の止水ゾーン３（第１層２ａ）に応じた高さに形成されていることとなる。
【００４１】
続いて、前記止水鉄板壁５ａの上部に、所定の高さに設定された止水鉄板壁５ｂを接合する。これに続いて、前記止水ゾーン３およびロックゾーン４の第１層２ａの上部に、第２層２ｂを盛り立てていく。
【００４２】
その後は、図５に示すように、前記止水鉄板５ｂの上方に止水鉄板壁５ｃを立ち上げるとともに、第３層２ｃを盛り立てる。続いて、前記止水鉄板壁５ｃの上方に止水鉄板壁５ｄを立ち上げるとともに、第４層２ｄを盛り立てる。さらに、前記止水鉄板壁５ｄの上方に止水鉄板壁５ｅを立ち上げるとともに、第５層２ｅを盛り立てる。
すなわち、複数の上層部２ｂ，２ｃ，２ｄ，２ｅを、前記第１層２ａの上方に一定の層厚ごとに盛り立てる度に、これに先行して、前記止水鉄板壁５ａ，５ｂ，５ｃ，５ｄ，５ｅを上方に立ち上げる工程を繰り返して、前記ダム堤体２を造成していく。
【００４３】
なお、前記止水ゾーン３に、この止水ゾーン３内に止水材を１０ｂを注入するための前記注入パイプ１０を埋設する際は、前記止水鉄板壁５ａ，５ｂ，５ｃ，５ｄ，５ｅを立ち上げるとともに埋設することが好ましい。
【００４４】
このようにして前記ダム堤体２を造成することによって、前記平板鉄板６や波状鉄板７の品質や、これら平板鉄板６および波状鉄板７の接合部分の状態等を確認しながら、前記止水鉄板５を、前記止水ゾーン３内に立設することができるので、例えば止水鉄板壁５をダム堤体２の造成後に埋め込むような場合に比して、この止水鉄板壁５の品質管理を確実かつ高水準に行うことが可能となる。
また、前記止水ゾーン３に雨水が溜まるなどして影響を受けないように雨養生することで、降雨時でも前記ダム堤体２を造成することができるので、工期の短縮を図ることができる。
【００４５】
本実施の形態によれば、前記基礎岩盤１上に造成された前記ダム堤体２の厚さ方向中央部に前記止水ゾーン３が設けられており、この止水ゾーン３の厚さ方向中央部に、この止水ゾーン３の高さ方向および幅方向に沿うようにして前記止水鉄板壁５が立設されているので、この止水鉄板壁５によって、前記止水ゾーン３の止水機能を受け持つことができることとなる。また、この止水鉄板壁５は、鉄板であることから、上流側から下流側への漏水を確実に防ぐことができるので、止水性を向上させることができる。
さらに、前記止水鉄板壁５で止水ゾーン３の止水機能を受け持つことによって、前記止水ゾーン３を構築する材料が高品質である必要がなくなるので、従来とは異なり、材料を遠方から取り寄せたり、新たな開発事業を行ったりする必要がなくなる。また、前記止水ゾーン３とロックゾーン４との間にフィルターゾーンを設けたり、盛り立て前の材料を保管する場所を確保する必要もなくなる。これによって、高品質材料の確保に係るコストを確実かつ格段に低減することが可能となる。
【図面の簡単な説明】
【００４６】
【図１】本発明のフィルダムの止水構造を示す側断面図である。
【図２】止水鉄板壁の概要を示す正面図である。
【図３】波状鉄板の十字部付近を示しており、（ａ）は正面図であり、（ｂ）は断面図である。
【図４】注入パイプの概要を示す正面図である。
【図５】本発明のフィルダムの造成方法を示す説明図である。
【符号の説明】
【００４７】
１  基礎岩盤
２  ダム堤体
３  止水ゾーン
５  止水鉄板壁
６  平板鉄板
７  波状鉄板
【図１】
0005090203.tif 000002
【図２】
0005090203.tif 000003
【図３】
0005090203.tif 000004
【図４】
0005090203.tif 000005
【図５】
0005090203.tif 000006